(57)【要約】【課題】自動リブートによる電源オフ／オンによって正常に立上がらなかった機器の異常を速やかに上位機器に通知できるようにする。【解決手段】第１の機器11(12)に対して上位機器2からリブート命令コマンドが与えられると、第１の機器11(12)は、第２の機器12(11)に対して電源オフ通知伝文を送信した後、電源をオフ／オンする。第２の機器12(11)は、第１の機器11(12)から電源オフ通知伝文を受信すると監視タイマをスタートさせる。第１の機器11(12)は、電源オフ／オンにより正常に立上がると、第２の機器12(11)に対して電源オン通知伝文を送信する。第２の機器12(11)は、電源オン通知伝文を受信すると監視タイマを停止する。第２の機器12(11)は、監視タイマによる計時時間が予め設定された異常検出時間に達すると、上位機器2に対して第１の機器11(12)の立上げ異常通知伝文を送信する。【選択図】    図１
2004206376.tif 000002
【特許請求の範囲】
【請求項１】
第１の機器と第２の機器とを第１のネットワークで接続するとともに、前記第１及び第２の機器の上位機器と前記第１の機器及び第２の機器とを第２のネットワークで互いに接続し、前記上位機器の遠隔制御により前記第１の機器をリブートさせるネットワークシステムにおいて、
前記第１の機器は、前記上位機器から前記第２のネットワークを通じてリブート命令コマンドを受信すると前記第２の機器に対して電源オフ通知伝文を前記第１のネットワークを通じて送信するオフ通知手段と、このオフ通知手段により前記電源オフ通知伝文を送信した後に電源をオフ／オンするリブート手段と、このリブート手段による電源オフ／オンにより立上がると前記第２の機器に対して電源オン通知伝文を前記第１のネットワークを通じて送信するオン通知手段とを具備し、
前記第２の機器は、監視タイマと、前記第１の機器から前記電源オフ通知伝文を前記第１のネットワークを通じて受信すると前記監視タイマをスタートさせるタイマ起動手段と、前記第１の機器から前記電源オン通知伝文を前記第１のネットワークを通じて受信すると前記監視タイマを停止させるタイマ停止手段と、前記監視タイマによる計時時間が予め設定された異常検出時間に達すると前記上位機器に対して前記第１の機器の立上げ異常通知伝文を前記第２のネットワークを通じて送信する異常通知手段とを具備したことを特徴とするネットワークシステム。
【請求項２】
第１の機器と複数の第２の機器とを第１のネットワークで接続するとともに、前記第１及び第２の機器の上位機器と前記第１の機器及び各第２の機器とを第２のネットワークで互いに接続し、前記上位機器の遠隔制御により前記第１の機器をリブートさせるネットワークシステムにおいて、
前記第１の機器は、前記上位機器から前記第２のネットワークを通じてリブート命令コマンドを受信するといずれか１つの第２の機器に対して電源オフ通知伝文を前記第１のネットワークを通じて送信するオフ通知手段と、このオフ通知手段により前記電源オフ通知伝文を送信した前記第２の機器から許諾応答がないと別の第２の機器に前記電源オフ通知伝文を前記第１のネットワークを通じて送信する再オフ通知手段と、前記電源オフ通知伝文を送信した前記第２の機器から許諾応答があると電源をオフ／オンするリブート手段と、このリブート手段による電源オフ／オンにより立上がると前記許諾応答があった第２の機器に対して電源オン通知伝文を前記第１のネットワークを通じて送信するオン通知手段とを具備し、
前記第２の機器は、監視タイマと、前記第１の機器から前記電源オフ通知伝文を前記第１のネットワークを通じて受信すると許諾応答を返すとともに前記監視タイマをスタートさせるタイマ起動手段と、前記第１の機器から前記電源オン通知伝文を前記第１のネットワークを通じて受信すると前記監視タイマを停止させるタイマ停止手段と、前記監視タイマによる計時時間が予め設定された異常検出時間に達すると前記上位機器に対して前記第１の機器の立上げ異常通知伝文を前記第２のネットワークを通じて送信する異常通知手段とを具備したことを特徴とするネットワークシステム。
【発明の詳細な説明】
【０００１】
【発明の属する技術分野】
本発明は、ＰＯＳ（Point Of Sales：販売時点情報管理）システム等のネットワークシステムに関する。
【０００２】
【従来の技術】
例えば複数の店舗を本部で統轄するスーパーマーケット，コンビニエンスストア，ドラッグストア，ファミリーレストラン等のチェーンストアでは、一般に、各店舗にＰＯＳ端末とストアコントローラとを設置してＬＡＮ（Local Area Network）で接続するとともに、本部にホストコンピュータを設置して各店舗のＰＯＳ端末及びストアコントローラと互いにＷＡＮ（Wide Area Network）で接続し、各店舗のＰＯＳ端末及びストアコントローラのメンテナンスを本部のホストコンピュータを用いて遠隔より集中的に行なうことを可能にしたネットワークシステム，いわゆるＰＯＳシステムが構築されている。このようなネットワークシステムを構築することにより、例えば本部から全店舗一斉にＰＯＳ端末若しくはストアコントローラのプログラム交換を実施することができる。
【０００３】
ところで、ＰＯＳ端末やストアコントローラ等の電子機器のプログラム交換を実施した場合、機器はプログラム交換後に電源をオフ／オンして再立上げをする必要がある。このため、ホストコンピュータから各店舗のプログラム交換対象機器にＷＡＮを通じて配信されるプログラム交換の制御コマンドには、電源オフ／オンの実行を指令するリブート命令コマンドが含まれており、機器は、プログラム交換後に自動的に電源をオフ／オンして再立上げをしていた。しかし、例えば交換されたプログラムにバグがあるために電源をオフ／オンしても機器が正常に立上がらないおそれがあった。
【０００４】
そこで、例えばＰＯＳ端末のプログラム交換を全店舗一斉に実施した際には、本部（保守拠点）から各店舗にプログラム交換対象機器の立上げ状況を電話等を使用して確認しており、コンビニエンスストア等のように店舗数が多い場合には、莫大な人件費と通信費を費やしていた。
【０００５】
例えば従来のこの種のネットワークシステムにおいて、ＰＯＳ端末に発生した障害を速やかに保守拠点に自動通知する技術として次の保守技術が知られている。すなわち、障害が発生したＰＯＳ端末は、障害情報を障害ログ情報として障害ログファイルに記録する。ストアコントローラは、障害ログファイルを常時又は周期的に監視して、ＰＯＳ端末の障害ログ情報を検知すると、障害の内容に関連した障害コール情報を保守拠点の上位機器にネットワークを通じて送信する（例えば、特許文献１参照）。
【０００６】
【特許文献１】
特開２００２‐２６９６４３号（図２）
【０００７】
【発明が解決しようとする課題】
しかしながら、従来のこの保守技術では、障害が発生した機器が障害ログ情報を障害ログファイルに記録しなければ、その障害が上位機器に通知されることはない。このため、自動リブートにより電源をオフ／オンしたが正常に立上がらなかった機器は、その異常を障害ログファイルに記録できないので、この種の異常を上位機器に通知することはできなかった。
【０００８】
本発明はこのような事情に基づいてなされたもので、その目的とするところは、自動リブートによる電源オフ／オンによって正常に立上がらなかった機器の異常を速やかに上位機器に通知することができるネットワークシステムを提供しようとするものである。
【０００９】
【課題を解決するための手段】
本発明のネットワークシステムは、第１の機器と第２の機器とを第１のネットワーク（例えばＬＡＮ）で接続するとともに、第１及び第２の機器の上位機器と第１の機器及び第２の機器とを第２のネットワーク（例えばＷＡＮ）で互いに接続している。そして、上位機器の遠隔制御により第１の機器及び第２の機器を選択的にリブートさせるようにしたものである。このものにおいて、第１の機器は、上位機器から第２のネットワークを通じてリブート命令コマンドを受信すると、第１のネットワークで接続された他方の機器に対して電源オフ通知伝文を第１のネットワークを通じて送信するオフ通知手段と、このオフ通知手段により電源オフ通知伝文を送信した後に電源をオフ／オンするリブート手段と、このリブート手段による電源オフ／オンにより立上がると他方の機器に対して電源オン通知伝文を第１のネットワークを通じて送信するオン通知手段とを具備し、第２の機器は、監視タイマと、他方の機器から電源オフ通知伝文を第１のネットワークを通じて受信すると監視タイマをスタートさせるタイマ起動手段と、他方の機器から電源オン通知伝文を第１のネットワークを通じて受信すると監視タイマを停止させるタイマ停止手段と、監視タイマによる計時時間が予め設定された異常検出時間に達すると上位機器に対して前記他方の機器の立上げ異常通知伝文を第２のネットワークを通じて送信する異常通知手段とを具備したものである。
【００１０】
このような構成により、第１の機器に対して上位機器から第２のネットワークを通じてリブート命令コマンドが与えられると、第１の機器は、第２の機器に対して電源オフ通知伝文を第１のネットワークを通じて送信した後、電源をオフ／オンする。第２の機器は、第１の機器から電源オフ通知伝文を第１のネットワークを通じて受信すると監視タイマをスタートさせる。ここで、第１の機器が電源オフ／オンにより正常に立上がった場合には、第１の機器は、第２の機器に対して電源オン通知伝文を第１のネットワークを通じて送信する。これにより、第２の機器は、監視タイマを停止する。ところが、第１の機器が電源オフ／オンに対して正常に立上がらなかった場合には、第２の機器に対して電源オン通知伝文が送信されないので、第２の機器では、監視タイマによる計時時間が予め設定された異常検出時間に達する。そうすると、第２の機器は、上位機器に対して第１の機器の立上げ異常通知伝文を第２のネットワークを通じて送信する。したがって、自動リブートによる電源オフ／オンによって正常に立上がらなかった機器の異常が速やかに上位機器に通知される。
【００１１】
【発明の実施の形態】
以下、本発明の一実施の形態を図面を用いて説明する。
なお、この実施の形態は、複数の店舗を本部で統轄するチェーンストアに構築されるＰＯＳシステムに本発明を適用した場合である。
【００１２】
図１は本実施の形態のＰＯＳシステムを示す模式図であり、このシステムは、各店舗にそれぞれ構築される店舗システム１と、本部に設置されるホストコンピュータ２とからなる。
【００１３】
店舗システム１は、複数台のＰＯＳ端末（ＴＭ）１１と、ストアコントローラ１２（ＳＣ）と、回線終端装置（ＤＳＵ）１３とからなる。各ＰＯＳ端末１１は、有線又は無線のＬＡＮ１４によりストアコントローラ１２と双方向通信自在に接続されている。また、各ＰＯＳ端末１１とストアコントローラ１２は、回線終端装置１３とそれぞれ宅内配線ケーブル１５によって接続されている。
【００１４】
各店舗の回線終端装置１３は、それぞれ広域ネットワークであるＩＳＤＮ（Integrated Services Digital Network）３に接続されている。ＩＳＤＮ３には前記ホストコンピュータ２も接続されている。ホストコンピュータ２は、店舗システム１の上位機器として、ＰＯＳ端末１１やストアコントローラ１２のプログラム交換等を実施する。
【００１５】
ここに、ＬＡＮ１４は、第１の機器（例えば、ストアコントローラ１２）と第２の機器（例えば、ＰＯＳ端末１１）とを接続する第１のネットワークであり、ＩＳＤＮ３は、第１及び第２の機器の上位機器（ホストコンピュータ２）と第１の機器及び第２の機器とを互いに接続する第２のネットワークである。なお、第２のネットワークはＩＳＤＮ３に限定されるものではなく、電話網やインターネット等であってもよい。また、第１のネットワークもＬＡＮ１４に限定されるものではない。
【００１６】
図２は店舗システム１のストアコントローラ１２とＰＯＳ端末１１の機能構成を示すブロック図である。ストアコントローラ１２は、メイン制御部４１、プログラム記憶部４２、データ記憶部４３、通信制御部４４、ＬＡＮインタフェース４５、電源制御部４６、時計部４７及びＥＥＰＲＯＭ（Electrically Erasable Programmable Read Only Memory）等の不揮発性メモリ４８等で構成されている。各ＰＯＳ端末１１は、メイン制御部５１、プログラム記憶部５２、データ記憶部５３、通信制御部５４、ＬＡＮインタフェース５５、電源制御部５６、時計部５７及び各種入出力機器（例えば、キーボード，ディスプレイ，プリンタ等）コントローラ５８等で構成されている。
【００１７】
通信制御部４４，５４には、それぞれ前記宅内配線ケーブル１５が接続されており、ＩＳＤＮ３を介して接続されるホストコンピュータ２とのデータ通信を制御する。ＬＡＮインタフェース４５，５５は、ＬＡＮ１４を介して接続される他の機器とのデータ通信を制御する。電源制御部４６は、それぞれ自機の電源オン／オフを制御する。時計部４７は、時刻（時，分，秒）を計時する。
【００１８】
ストアコントローラ１２のデータ記憶部４３には、図３に示すように、ＬＡＮ１４を介して接続された各ＰＯＳ端末１１に対して予め一意に設定された連続番号である端末番号別に監視タイマ値Ｔｘ（１≦ｘ≦Ｎ：ＮはＬＡＮ１４を介して接続されたＰＯＳ端末１１の台数）を記憶するための監視タイマテーブル６１が形成されている。各ＰＯＳ端末１１のデータ記憶部５３には、監視タイマ値Ｔ０を記憶するための監視タイマメモリ６２が形成されている。
【００１９】
ストアコントローラ１２のプログラム記憶部４２には、ストアコントローラ１２が行なう商品管理，売上管理，在庫管理，発注等の各種業務を実現するためのメインプログラムの他、後述するＳＣリブートプログラム７１とＴＭ立上監視プログラム７２とが記憶されている。各ＰＯＳ端末１１のプログラム記憶部５２には、ＰＯＳ端末１１が行なう売上登録，返品登録，廃棄登録等の各種業務を実現するためのメインプログラムの他、後述するＴＭリブートプログラム７３とＳＣ立上監視プログラム７４とが記憶されている。
【００２０】
かかる構成の本実施の形態においては、ホストコンピュータ２の制御により各店舗システム１における各ＰＯＳ端末１１のメインプログラムを一斉に若しくは選択的に交換することが可能である。ここで、ホストコンピュータ２からＩＳＤＮ３を通じて各ＰＯＳ端末１１に配信されるプログラム交換の制御コマンドには、電源オフ／オンの実行を指令するリブート命令コマンドが含まれており、このコマンドを受信したＰＯＳ端末１１のメイン制御部５１は、メインプログラムを交換後、ＴＭリブートプログラム７３を起動して、図４の流れ図に示すＴＭリブート処理を実行する。
【００２１】
先ず、メイン制御部５１は、ＳＴ（ステップ）１としてストアコントローラ１２に対し所定の電源オフ通知伝文をＬＡＮ１４を介して送信する（オフ通知手段）。
【００２２】
次に、メイン制御部５１は、ＳＴ２としてストアコントローラ１２からの応答を待ち、正常受信を示すＡＣＫ応答伝文を受信したならば、ＳＴ３として電源制御部５６を制御して当該ＰＯＳ端末１１の電源をオフ／オンする（リブート手段）。そして、この電源オフ／オンにより正常に立上がったならば、メイン制御部５１は、ＳＴ４としてストアコントローラ１２に対し所定の電源オン通知伝文をＬＡＮ１４を介して送信する（オン通知手段）。
【００２３】
なお、ストアコントローラ１２に対して電源オフ通知伝文を送信後、このストアコントローラ１２からＡＣＫ応答伝文を受信できなかった場合には、メイン制御部５１は、ＳＴ５として電源のオフ／オンを行ない、正常に立上がっても電源オン通知伝文の送信は行なわない。
【００２４】
一方、ストアコントローラ１２のメイン制御部４１は、ＬＡＮ１４で接続されたいずれかのＰＯＳ端末（端末番号ｘのＰＯＳ端末１１ｘとする）から前記電源オフ通知伝文を受信すると、ＴＭ立上監視プログラム７２を起動して、図５の流れ図に示すＴＭ立上監視処理を実行する。
【００２５】
先ず、メイン制御部４１は、ＳＴ１１として電源オフ通知伝文送信元のＰＯＳ端末１１ｘに対してＡＣＫ応答伝文を送信するとともに、ＳＴ１２としてそのＰＯＳ端末１１ｘの端末番号ｘに対応する監視タイマテーブル６１の監視タイマ値Ｔｘを“０”にリセットする（タイマ起動手段）。
【００２６】
次に、メイン制御部４１は、ＳＴ１３として時計部４７にて時刻１秒が計時される毎に上記監視タイマ値Ｔｘを１ずつカウントアップし、ＳＴ１４として監視タイマ値Ｔｘが予め設定された警告値Ｋ１に達したか否かを判断する。監視タイマ値Ｔｘが警告値Ｋ１に達していない場合には、ＳＴ１５として当該ＰＯＳ端末１１ｘから電源オン通知伝文を受信したか否かを判断する。そして、電源オン通知伝文を受信していない場合には、ＳＴ１３に戻る。これに対し、電源オン通知伝文を受信した場合には、その時点でこの処理を終了する（タイマ停止手段）。
【００２７】
一方、ＳＴ４にて監視タイマ値Ｔｘが警告値Ｋ１に達した場合には、メイン制御部４１は、ＳＴ６としてＰＯＳ端末１１ｘの立上異常通知伝文をＩＳＤＮ３を通じてホストコンピュータ２に送信して（異常通知手段）、この処理を終了する。
【００２８】
ここで、警告値Ｋ１としては、ＰＯＳ端末１１をリブートした際の立上げに要する最長時間よりも長い時間が予め設定されている。したがって、ホストコンピュータ２からの遠隔制御により自動リブートが指令されたＰＯＳ端末１１ｘが正常に立上がった場合には、そのＰＯＳ端末１１ｘに対応する監視タイマ値Ｔｘが警告値Ｋ１に達する前に当該ＰＯＳ端末１１ｘから電源オン通知伝文が送信されて、監視タイマ値Ｔｘの計時動作が停止するので、当該ＰＯＳ端末１１ｘの立上異常通知伝文がホストコンピュータ２に送信されることはない。逆に、ＰＯＳ端末１１ｘが正常に立上がらなかった場合には、やがて監視タイマ値Ｔｘが警告値Ｋ１に達するので、ＰＯＳ端末１１ｘの立上異常通知伝文がホストコンピュータ２に送信される。
【００２９】
また、本実施の形態においては、ホストコンピュータ２の制御により各店舗システム１におけるストアコントローラ１２のメインプログラムを一斉に若しくは選択的に交換することが可能である。ここで、ホストコンピュータ２からＩＳＤＮ３を通じて各ストアコントローラ１２に配信されるプログラム交換の制御コマンドには、電源オフ／オンの実行を指令するリブート命令コマンドが含まれており、このコマンドを受信したストアコントローラ１２のメイン制御部４１は、メインプログラムを交換後、ＳＣリブートプログラム７１を起動して、図６の流れ図に示すＳＣリブート処理を実行する。
【００３０】
先ず、メイン制御部４１は、ＳＴ２１として番号カウンタのカウント値ｎを一旦“０”にリセットした後、ＳＴ２２としてこのカウンタを“１”だけ増加する。そして、ＳＴ２３として番号カウンタのカウント値ｎがＬＡＮ１４を介して接続されているＰＯＳ端末１１の台数Ｎを超えていないことを確認したならば、メイン制御部４１は、ＳＴ２４として端末番号ｎ（ｎは番号カウンタのカウント値に一致）のＰＯＳ端末１１ｎに電源オフ通知伝文を送信する（オフ通知手段）。
【００３１】
次に、メイン制御部４１は、ＳＴ２５としてＰＯＳ端末１１ｎからの応答を待ち、正常受信を示すＡＣＫ応答伝文を受信したならば、ＳＴ２６として番号カウンタのカウント値ｎを不揮発性メモリ４８に書込んだ後、ＳＴ２７として電源制御部４６を制御して当該ストアコントローラ１２の電源をオフ／オンする（リブート手段）。そして、この電源オフ／オンにより正常に立上がったならば、メイン制御部４１は、ＳＴ２８として不揮発性メモリ４８から番号カウンタのカウント値ｎを読出し、そのカウント値ｎから特定される端末番号ｎのＰＯＳ端末１１ｎに対し所定の電源オン通知伝文をＬＡＮ１４を介して送信する（オン通知手段）。
【００３２】
なお、ＰＯＳ端末１１ｎに対して電源オフ通知伝文を送信後、このＰＯＳ端末１１ｎからＡＣＫ応答伝文を受信できなかった場合には、メイン制御部４１は、ＳＴ２２に戻って番号カウンタのカウント値ｎをさらに１だけ増加する。そして、ＴＭ番号ｎのＰＯＳ端末１１ｎに電源オフ通知伝文を送信する。そして、このＰＯＳ端末１１ｎからＡＣＫ応答伝文を受信したならば、ＳＴ２６，２７，２８の各処理を実行する。これに対し、端末番号順に全てのＰＯＳ端末１１に電源オフ通知伝文を送信したがＡＣＫ応答伝文を１つも受信できなかった場合には、メイン制御部４１は、ＳＴ２９として電源のオフ／オンを行ない、正常に立上がっても電源オン通知伝文は送信しない。
【００３３】
一方、各ＰＯＳ端末１１のメイン制御部５１は、ＬＡＮ１４で接続されたストアコントローラ１２から前記電源オフ通知伝文を受信すると、ＳＣ立上監視プログラム７４を起動して、図７の流れ図に示すＳＣ立上監視処理を実行する。
【００３４】
先ず、メイン制御部５１は、ＳＴ３１としてストアコントローラ１２に対してＡＣＫ応答伝文を送信するとともに、ＳＴ３２として監視タイマ値Ｔ０を“０”にリセットする（タイマ起動手段）。
【００３５】
次に、メイン制御部５１は、ＳＴ３３として時計部４７にて時刻１秒が計時される毎に上記監視タイマ値Ｔ０を１ずつカウントアップし、ＳＴ３４として監視タイマ値Ｔ０が予め設定された警告値Ｋ２に達したか否かを判断する。監視タイマ値Ｔ０が警告値Ｋ２に達していない場合には、ＳＴ３５としてストアコントローラ１２から電源オン通知伝文を受信したか否かを判断する。そして、電源オン通知伝文を受信していない場合には、ＳＴ３３に戻る。これに対し、電源オン通知伝文を受信した場合には、その時点でこの処理を終了する（タイマ停止手段）。
【００３６】
一方、ＳＴ３４にて監視タイマ値Ｔ０が警告値Ｋ２に達した場合には、ＳＴ３６としてストアコントローラ１２の立上異常通知伝文をＩＳＤＮ３を通じてホストコンピュータ２に送信して、この処理を終了する（異常通知手段）。
【００３７】
ここで、警告値Ｋ２としては、ストアコントローラ１２をリブートした際の立上げに要する最長時間よりも長い時間が予め設定されている。したがって、ホストコンピュータ２からの遠隔制御により自動リブートが指令されたストアコントローラ１２が正常に立上がった場合には、監視タイマ値Ｔ０が警告値Ｋ２に達する前にストアコントローラ１２から電源オン通知伝文が送信されて、監視タイマ値Ｔ０の計時動作が停止するので、ストアコントローラ１２の立上異常通知伝文がホストコンピュータ２に送信されることはない。逆に、ストアコントローラ１２が正常に立上がらなかった場合には、やがて監視タイマ値Ｔ０が警告値Ｋ２に達するので、ストアコントローラ１２の立上異常通知伝文がホストコンピュータ２に送信される。
【００３８】
このように本実施の形態によれば、ストアコントローラ１２が自動リブートによる電源オフ／オンによって正常に立上がらなかった場合には、このストアコントローラ１２とＬＡＮ１４で接続されたＰＯＳ端末１１からホストコンピュータ２にストアコントローラ１２の立上異常が即時通知されるので、例えばストアコントローラ１２のプログラム交換を遠隔より実施した際にそのストアコントローラ１２が正常に立上がったか否かを人手を介して確認する必要がなくなる。同様に、ＰＯＳ端末１１が自動リブートによる電源オフ／オンによって正常に立上がらなかった場合には、このＰＯＳ端末１１とＬＡＮ１４で接続されたストアコントローラ１２からホストコンピュータ２にＰＯＳ端末１１の立上異常が即時通知されるので、例えばＰＯＳ端末１１のプログラム交換を遠隔より実施した際にそのＰＯＳ端末１１が正常に立上がったか否かを人手を介して確認する必要がなくなる。この効果は、コンビニエンスストア等のように店舗数が多い場合により大きいものとなる。
【００３９】
なお、ＳＣリブートプログラム７１及びＴＭリブートプログラム７３は、プログラム交換時のリブート命令コマンドによって起動するのみならず、例えばストアコントローラ１２の保守を目的に半年に１回程度を目処に定期的に実施される再立上の際にも起動するものである。
【００４０】
また、本発明はＰＯＳシステムに限定されるものではなく、第１の機器と第２の機器とを第１のネットワークで接続するとともに、第１及び第２の機器の上位機器と第１の機器及び第２の機器とを第２のネットワークで互いに接続し、上位機器の遠隔制御により第１の機器及び第２の機器を選択的にリブートさせるネットワークシステム全般に適用できるものである。
【００４１】
【発明の効果】
以上詳述したように本発明によれば、自動リブートによる電源オフ／オンによって正常に立上がらなかった機器の異常を速やかに上位機器に通知することができるネットワークシステムを提供できる。
【図面の簡単な説明】
【図１】本発明の一実施の形態のＰＯＳシステムを示す模式図。
【図２】同実施の形態におけるストアコントローラとＰＯＳ端末の機能構成を示すブロック図。
【図３】図２に示す監視タイマテーブルの詳細図。
【図４】同実施の形態におけるＰＯＳ端末のメイン制御部が実行するＴＭリブート処理の要部を示す流れ図。
【図５】同実施の形態におけるストアコントローラのメイン制御部が実行するＴＭ立上監視処理の要部を示す流れ図。
【図６】同実施の形態におけるストアコントローラのメイン制御部が実行するＳＣリブート処理の要部を示す流れ図。
【図７】同実施の形態におけるＰＯＳ端末のメイン制御部が実行するＳＣ立上監視処理の要部を示す流れ図。
【符号の説明】
１…店舗システム、２…ホストコンピュータ、３…ＩＳＤＮ、１１…ＰＯＳ端末、１２…ストアコントローラ、１４…ＬＡＮ、４１，５１…メイン制御部、４６，５６…電源制御部、４７，５７…時計部、４８…不揮発性メモリ、６１…監視タイマテーブル、６２…監視タイマメモリ、７１…ＳＣリブートプログラム、７２…ＴＭ立上監視プログラム、７３…ＴＭリブートプログラム、７４…ＳＣ立上監視プログラム。
【図１】
2004206376.tif 000003
【図２】
2004206376.tif 000004
【図３】
2004206376.tif 000005
【図４】
2004206376.tif 000006
【図５】
2004206376.tif 000007
【図６】
2004206376.tif 000008
【図７】
2004206376.tif 000009